(57)【要約】【課題】ズーム動作中の撮像動作により取得される画像の質を確実に安定させることができる撮像装置、及びその画像制御方法を提供する。【解決手段】撮像装置において、撮像した画像に基づき目標値演算部３２により演算した露出制御やホワイトバランス制御の制御目標値をラッチレジスタ３３にラッチさせる。分周器３４によって、フレーム同期信号を、ズームレンズの移動速度を示すズーム状態信号に応じた所定の分周回数Ｎで１／Ｎ分周させてラッチレジスタ３３に出力させる。フレーム毎に演算されラッチされる制御目標値をＮフレーム毎に制御出力として出力させ、ズーム動作中における露出制御やホワイトバランス制御の制御頻度をズーム速度に応じて減少させる。ズーム動作中における上記制御の追従性をズーム停止中よりも遅らせることにより、ズーム動作中における制御の安定性を確保する。【選択図】    図２
2005012397.tif 000002
【特許請求の範囲】
【請求項１】
ズーム機能を備えた撮像装置において、
撮像した画像に含まれる所定の画像成分に基づき撮像する画像に対するフィードバック制御を行う画像制御手段と、
ズーム機能の動作状態を検出する検出手段と、
この検出手段によりズーム動作中であることが検出された場合に、前記画像制御手段による撮像する画像に対するフィードバック制御の追従速度を、ズーム動作停止中よりも遅らせる遅延手段とを備えたことを特徴とする撮像装置。
【請求項２】
前記遅延手段は、前記追従速度をズーム動作中の画角の変化速度に応じて遅らせることを特徴とする請求項１記載の撮像装置。
【請求項３】
前記遅延手段は、前記画像制御手段におけるフィードバック制御の動作頻度を低減させることにより、ズーム動作中における前記追従速度をズーム動作停止中よりも遅らせることを特徴とする請求項１又は２記載の撮像装置。
【請求項４】
前記遅延手段は、前記画像制御手段による１回の制御量を低減させることにより、ズーム動作中における前記追従速度をズーム動作停止中よりも遅らせることを特徴とする請求項１又は２記載の撮像装置。
【請求項５】
前記遅延手段は、前記画像制御手段による制御量にヒステリシスを持たせることを特徴とする請求項４記載の撮像装置。
【請求項６】
前記画像制御手段は、撮像した画像の明るさの成分に基づき露出を制御する露出制御手段を含むことを特徴とする請求項１乃至５いずれか記載の撮像装置。
【請求項７】
前記画像制御手段は、撮像した画像の色成分に基づきホワイトバランスを制御するホワイトバランス制御手段を含むことを特徴とする請求項１乃至６いずれか記載の撮像装置。
【請求項８】
ズーム機能を備えた撮像装置における画像制御方法であって、
撮像した画像に含まれる所定の画像成分に基づき撮像する画像に対するフィードバック制御を行うとともに、ズーム動作中にはフィードバック制御の追従速度をズーム動作停止中よりも遅らせることを特徴とする画像制御方法。
【発明の詳細な説明】
【０００１】
【発明の属する技術分野】
本発明は、ズーム機能を備えたデジタルカメラ等の撮像装置、及びズーム機能を備えた撮像装置に用いて好適な画像制御方法に関する。
【０００２】
【従来の技術】
従来、デジタルカメラやデジタルビデオカメラ等の撮像装置では、自動露出制御（ＡＥ）やオートホワイトバランス制御（ＡＷＢ）が一般に行われている。これらの制御は、一般に撮像した画像から明るさ成分や色成分を取得し、それに基づき次に撮像する画像の明るさ成分の量や色成分の割合を制御するフィードバック制御となっている。
【０００３】
また、現在、デジタルカメラ等においてはズーム機能を有したものが多いが、例えばズームレンズの駆動の制御と、自動露出制御やオートホワイトバランス制御とは独立して行われているのが一般的である。
【０００４】
そのため、ズーム機能を備えたデジタルカメラ等においてズームレンズがテレ側からワイド側、又はワイド側からテレ側へ駆動されるズーム動作中、つまり画角が連続して変化する間においては、変化部分の画像に露出やホワイトバランスに影響するものが含まれていると、逐次撮像される画像における明るさ成分や色成分が頻繁に変化することにより、自動露出制御やオートホワイトバランス制御が不安定となる可能性があった。
【０００５】
一方、これと関連した技術としては、ズームレンズ位置がワイド時には、ホワイトバランス調整間隔を短くし、ズームレンズ位置がテレ時には、ホワイトバランス調整間隔を長くすることにより、ズーム倍率に応じたホワイトバランス調整を行う方法が下記特許文献１に記載されている。
【０００６】
【特許文献１】
特開平４−２４５８８８号公報
【０００７】
【発明が解決しようとする課題】
しかしながら、上記方法では、あるズーム倍率の状態におけるホワイトバランス調整を良好に行うことはできるが、ズーム動作中におけるオートホワイトバランス制御に安定性を確保することはできなかった。つまりズーム動作中に撮像される画像の質を確実に安定させることはできなかった。
【０００８】
本発明は、かかる従来の課題に鑑みてなされたものであり、ズーム動作中の撮像動作により取得される画像の質を確実に安定させることができる撮像装置、及びその画像制御方法を提供することを目的とする。
【０００９】
【課題を解決するための手段】
前記課題を解決するために請求項１の発明にあっては、ズーム機能を備えた撮像装置において、撮像した画像に含まれる所定の画像成分に基づき撮像する画像に対するフィードバック制御を行う画像制御手段と、ズーム機能の動作状態を検出する検出手段と、この検出手段によりズーム動作中であることが検出された場合に、前記画像制御手段による撮像する画像に対するフィードバック制御の追従速度を、ズーム動作停止中よりも遅らせる遅延手段とを備えたものとした。
【００１０】
かかる構成においては、ズーム動作中には、撮像する画像に対するフィードバック制御の追従速度がーム動作停止中よりも遅くなることにより、ズーム動作中の画角の変化に伴い、撮像された画像において所定の画像成分が頻繁に変化したとしても、安定したフィードバック制御が行われる。
【００１１】
また、請求項２の発明にあっては、前記遅延手段は、前記追従速度をズーム動作中の画角の変化速度に応じて遅らせるものとした。
【００１２】
かかる構成においては、ズーム動作中に画角の変化速度が変動する場合においても、その時々のフィードバック制御の遅延度合が適切なものとなる。
【００１３】
また、請求項３の発明にあっては、前記遅延手段は、前記画像制御手段におけるフィードバック制御の動作頻度を低減させることにより、ズーム動作中における前記追従速度をズーム動作停止中よりも遅らせるものとした。
【００１４】
かかる構成においても、ズーム動作中における画角の変化に伴い、撮像された画像において所定の画像成分が頻繁に変化したとしても、安定したフィードバック制御が行われる。
【００１５】
また、請求項４の発明にあっては、前記遅延手段は、前記画像制御手段による１回の制御量を低減させることにより、ズーム動作中における前記追従速度をズーム動作停止中よりも遅らせるものとした。
【００１６】
かかる構成においても、ズーム動作中における画角の変化に伴い、撮像された画像において所定の画像成分が頻繁に変化したとしても、安定したフィードバック制御が行われる。
【００１７】
また、請求項５の発明にあっては、前記遅延手段は、前記画像制御手段による制御量にヒステリシスを持たせるものとした。
【００１８】
かかる構成においては、ズーム動作中におけるその時々のフィードバック制御時における制御量がより適切なものとなる。
【００１９】
また、請求項６の発明にあっては、前記画像制御手段は、撮像した画像の明るさの成分に基づき露出を制御する露出制御手段を含むものとした。
【００２０】
かかる構成においては、ズーム動作中における画角の変化に伴い、撮像された画像において明るさの成分が頻繁に変化したとしても、安定した露出制御が行われる。
【００２１】
また、請求項７の発明にあっては、前記画像制御手段は、撮像した画像の色成分に基づきホワイトバランスを制御するホワイトバランス制御手段を含むものとした。
【００２２】
かかる構成においては、ズーム動作中における画角の変化に伴い、撮像された画像において色の成分が頻繁に変化したとしても、安定したホワイトバランス制御が行われる。また、請求項８の発明にあっては、ズーム機能を備えた撮像装置における画像制御方法であって、撮像した画像に含まれる所定の画像成分に基づき撮像する画像に対するフィードバック制御を行うとともに、ズーム動作中にはフィードバック制御の追従速度をズーム動作停止中よりも遅らせる方法とした。
【００２３】
かかる方法によれば、ズーム動作中における画角の変化に伴い、撮像された画像において所定の画像成分が頻繁に変化したとしても、安定したフィードバック制御が行われる。
【００２４】
【発明の実施の形態】
以下、本発明の一実施の形態を図にしたがって説明する。
（第１の実施の形態）
図１は、本発明に係るデジタルカメラの電気的構成を示すブロック図である。このデジタルカメラにおいて、被写体像はレンズ１、ズームレンズ２、絞り３を通してＣＣＤ４のベイヤー配列の色フィルタが設けられた感光部に結像される。
ＣＣＤ４はＴＧ（Ｔｉｍｉｎｇ  Ｇｅｎｅｒａｔｏｒ）２０により駆動され、各画素の蓄積電荷レベルに応じた信号を出力する。この信号はＣＣＤ４を駆動するＴＧ２０からのタイミングに同期した信号を用いてＣＤＳ（Ｃｏｒｒｅｌａｔｅｄ  Ｄｏｕｂｌｅ  Ｓａｍｐｌｉｎｇ）回路５でサンプリングされ、ＡＧＣ（Ａｕｔｏ  Ｇａｉｎ  Ｃｏｎｔｒｏｌ）アンプ６に入力され所定のゲインが乗じられた後、ＡＤコンバータ７で、例えば１０ビットでデジタルデータ化される。このデジタルデータはデジタルクランプ回路８で所定の黒レベルにクランプされ、メモリバスインターフェース９を介してＤＭＡ転送によりメモリ１０（ＤＲＡＭ等）にベイヤー画素データとして保存される。
【００２５】
メモリ１０上の画素データ量が画像処理ブロック単位（例えば８×８画素単位）以上の利用可能状態になるとＤＭＡ転送が起動され、画素データはメモリバスインターフェース９を介してメモリ１０からベイヤー入力バッファ１１に画像処理ブロック単位で転送される。画像処理ブロック単位の画素データはＲＧＢ重み付け部１２でホワイトバランス（ＷＢ）の設定の後、ガンマ補正処理部１３で所定のガンマ補正カーブの係数が乗じられ、Ｙ（輝度信号）生成部１４、Ｃ（色信号）生成部１５の各処理によって輝度信号Ｙ、色信号Ｃが生成される。その後、画像加工処理部１６で様々な画像加工処理（エッジ強調、色調調整等）が行われてメモリバスインターフェース９を介してメモリ１０に保存される。同時に、メモリ１０に保存された輝度信号Ｙ、色信号Ｃはシステム制御装置２４により制御される表示データ処理部１７を介して表示装置１８にモニタ表示される。
【００２６】
システム制御装置２４はＣＰＵ及びＲＯＭ、ＲＡＭを内蔵しており、ＲＯＭに格納されたプログラムにより動作するとともに、ユーザーが操作するキー入力装置２３の状態を検出しながらシステム全体の制御を行う。そしてキー入力装置２３からズーム操作の状態が検知されると、システム制御装置２４は、その移動方向（テレ側又はワイド側）と移動量に応じてズーム駆動部２５を制御し、ズームレンズ２を移動させることにより被写体の画角を変化させる。このとき、ズーム駆動部２５は本発明の検出手段であって、ズーム操作に応じたズームレンズ２の移動速度つまりズーム速度を検出し、それをズーム状態信号としてＡＥ制御処理部１９とＡＷＢ制御処理部２２にそれぞれ出力する。
【００２７】
一方、前述したＹ生成部１４から出力された輝度信号ＹはＡＥ制御処理部１９に入力される。ＡＥ制御処理部１９は本発明の露出制御手段（画像制御手段）であって、入力した輝度信号Ｙのレベルに応じた制御信号を絞り駆動部２１とＴＧ２０とＡＧＣアンプ６にそれぞれ送り、被写体像が暗い場合には絞り３は開放し、ＣＣＤ４の露光時間を許容される限り長くし、さらにその状態でも十分な出力画像レベル（低域輝度信号の積分レベル）が得られない場合にはＡＧＣアンプ６のゲインを増加させる自動露出制御（ＡＥ）を行う。また、Ｃ生成部１５から出力された色信号ＣはＡＷＢ制御処理部２２に入力される。ＡＷＢ制御処理部２２は本発明のホワイトバランス制御手段（画像制御手段）であって、色信号Ｃに応じた制御信号をＲＧＢ重み付け部１２に送り、ＲＧＢの各成分の調整（重み付け）によるオートホワイトバランス制御（ＡＷＢ）を行う。
【００２８】
図２は、ＡＥ制御処理部１９及びＡＷＢ制御処理部２２に共通する部分の回路構成を示した図であって、双方の処理部１９，２２は、それぞれが評価値抽出部３１、目標値演算部３２、ラッチレジスタ３３、分周器３４を備えており、分周器３４には、ＣＣＤ４を駆動するＴＧ２０から送られる画像フレームに同期したフレーム同期信号と、前記ズーム駆動部２５から送られたズーム状態信号（ズーム速度）が入力する構成である。なお、本実施の形態においてはラッチレジスタ３３、分周器３４が本発明の遅延手段として機能する。
【００２９】
ＡＥ制御処理部１９及びＡＷＢ制御処理部２２においては、評価値抽出部３１によって、画像成分入力（ＡＥでは輝度信号Ｙ、ＡＷＢでは色信号Ｃ）から評価値（ＡＥでは明るさを反映する成分、ＡＷＢでは色の偏りを反映する成分）が抽出され、それに基づき目標値演算部３２により制御目標値（ＡＥでは絞り値、露光時間、ＡＧＣゲインであり、ＡＷＢではＲＧＢゲインである。）が演算される。演算された制御目標値はラッチレジスタ３３にラッチされるとともに、それが分周器３４を介してフレーム同期信号が入力する毎に前述した各部へ出力される。それに伴い前述した自動露出制御及びオートホワイトバランス制御が行われ、表示装置１８に表示されるモニタ画像の明るさと色合いが自動調整される。
【００３０】
一方、分周器３４は前記ズーム状態信号に応じた所定の分周回数Ｎでフレーム同期信号を１／Ｎ分周してラッチレジスタ３３に出力し、ラッチレジスタ３３に一時保存された前述した制御目標値を制御出力する。本実施の形態において、分周器３４におけるズーム速度と分周回数Ｎとの関係は、ズーム速度がゼロつまりズーム停止状態で「１」、以後はズーム速度が増加する毎に「２」〜「５」に５段階に変化するよう設定されている。
【００３１】
これにより、ズーム停止中にはＡＥ及びＡＷＢの制御がフレーム毎に実施される一方、ズーム動作中にはその制御間隔がフレーム単位で延長され、かつその制御間隔がズーム速度に比例して長くなる。つまりフィードバック制御中の制御頻度をズーム速度に比例して減少させる間引き制御が行われる。
【００３２】
したがって、ズーム動作中においては被写体の変化に対するＡＥ及びＡＷＢの追従が遅くなるため、ズーム動作中にフレーム内の明るさや色成分が頻繁に変化したとしても、その影響を受けることなく安定した自動露出制御と安定したオートホワイトバランス制御が行われる。その結果、ズーム動作中においても、表示装置１８に表示されるモニタ画像における明るさや色合いの状態を、確実に良好な状態に制御することができ、ズーム動作中にモニタ画像の明るさや色合いが不自然に変動することが防止できる。
【００３３】
なお、本実施の形態では、自動露出制御とオートホワイトバランス制御の双方について前述した間引き制御を行わせるようにしたが、どちらか一方の制御について間引き制御を行わせ、他方についてはフレーム毎の制御を行わせるようにしてもかまわない。
【００３４】
また、分周器３４におけるズーム速度と分周回数Ｎとの関係、つまり制御頻度は前述した以外の制御頻度に設定してもよく、さらには、それらを自動露出制御とオートホワイトバランス制御とで異ならせるようにしてもよい。
【００３５】
（第２の実施の形態）
次に本発明の第２の実施の形態を説明する。本実施の形態は、図１に示したデジタルカメラにおいて、ＡＥ制御処理部１９及びＡＷＢ制御処理部２２が図３に示した共通する回路構成を備えたものである。
【００３６】
すなわち本実施の形態においては、第１の実施の形態と異なり、目標値演算部３２の後段には第１〜第３のラッチレジスタ４１〜４３が直列に接続されており、それらの出力が第１〜第３の低減器４４〜４６を介して加算器４７に入力され、そこで加算された後、前述した各部へ出力される構成であり、第１〜第３のラッチレジスタ４１〜４３、第１〜第３の低減器４４〜４６、加算器４７によって本発明の遅延手段が実現されている。
【００３７】
そして、本実施の形態においては、第１〜第３のラッチレジスタ４１〜４３に前述したフレーム同期信号がそれぞれ入力されると、第１のラッチレジスタ４１からは目標値演算部３２により演算された今回の制御目標値（現フレームでの制御目標値）が出力され、第２のラッチレジスタ４２からは前回の制御目標値が、また第３のラッチレジスタ４３からは前々回の制御目標値がそれぞれ出力され、各々の制御目標値が第１〜第３の低減器４４〜４６に個別に入力される。第１〜第３の低減器４４〜４６においては、前述したズーム状態信号に応じた互いに異なる低減倍率を個別に乗じられ、低減後の各制御目標値が加算器４７において加算され、加算後の値が歳出的な制御目標値として出力される。
【００３８】
つまり現フレーム、及び過去の２回のフレームでの制御目標値をそれぞれ
Ｅ（ｔ），Ｅ（ｔ−１），Ｅ（ｔ−２）
とし、それらに対する低減倍率をそれぞれ
Ｋ０，Ｋ１，Ｋ２
とすると、
制御出力  ＝  Ｋ０×Ｅ（ｔ）＋Ｋ１×Ｅ（ｔ−１）＋Ｋ２×Ｅ（ｔ−２）
となり、現フレームでの制御目標値に、過去のフレームでの制御目標値を用いてダンピングがかけられる構成となっている。
【００３９】
また、本実施の形態において第１〜第３の低減器（乗算器）４４〜４６におけるズーム速度と低減倍率との関係は、
ズーム速度がゼロつまりズーム停止状態で、
（Ｋ０，Ｋｌ，Ｋ２）＝（１，０，０）
以後はズーム速度に応じて、
（Ｋ０，Ｋｌ，Ｋ２）＝（０．８，０．１５，０．０５）
（Ｋ０，Ｋｌ，Ｋ２）＝（０．７，０．２  ，０．１）
（Ｋ０，Ｋｌ，Ｋ２）＝（０．６，０．２７，０．１３）
（Ｋ０，Ｋｌ，Ｋ２）＝（０．５，０．２，  ０．１）
の５段階に変化するよう設定されている。
【００４０】
これにより、ズーム停止中には、ＡＥ及びＡＷＢによる通常の制御が行われる一方、ズーム動作中には、制御の変化度合いがズーム速度に比例して低減され、かつその低減度合いにヒステリシスが存在するダンピング制御が行われる。つまりズーム動作中においては、１回の制御動作時における制御量が低減されることによって、被写体の変化に対するＡＥ及びＡＷＢの追従が遅くなる。
【００４１】
したがって、ズーム動作中には、第１の実施の形態と同様、フレーム内の明るさや色成分が頻繁に変化したとしても、その影響を受けることなく安定した自動露出制御と安定したオートホワイトバランス制御が行われる。その結果、ズーム動作中においても、表示装置１８に表示されるモニタ画像における明るさや色合いの状態を、確実に良好な状態に制御することができ、ズーム動作中にモニタ画像の明るさや色合いが不自然に変動することが防止できる。
【００４２】
なお、本実施の形態では、自動露出制御とオートホワイトバランス制御の双方について前述したダンピング制御を行わせるようにしたが、どちらか一方の制御についてダンピング制御を行わせ、他方についてはダンピング無しの制御を行わせるようにしてもかまわない。
【００４３】
また、第１〜第３の乗算器４４〜４６におけるズーム速度と低減倍率との関係、つまり制御量の低減度合い、及びヒステリシスの強度は、前述した以外の度合いに設定してもよく、さらには、それらを自動露出制御とオートホワイトバランス制御とで異ならせるようにしてもよい。
【００４４】
また、本実施の形態では、ズーム動作中におけるダンピング制御に際して、その時々の制御量に前回及び前々回の制御目標値を反映させる（ヒステリシスを持たせる）ようにしたが、その時々の制御量に前回の制御目標値のみを反映させるようにしてもよい。その場合には、前述した第３のラッチレジスタ４３と、第３の低減器４６とを廃止すればよい。さらには、ヒステリシスを持たせることなくズーム速度に応じて制御量を低減させるようにしてもよい。その場合には、前述した第２及び第３のラッチレジスタ４２，４３と、第２及び第３の低減器４５，４６と、加算器４７を廃止すればよい。かかる場合であっても、ズーム動作中に表示装置１８に表示されるモニタ画像の明るさや色合いが頻繁に変化することが防止できる。但し、本実施の形態のように、その時々の制御量に過去一定期間の制御目標値を反映させた方が、ズーム動作中におけるその時々の自動露出制御やオートホワイトバランス制御の制御量をより適切なものとすることができるため、ズーム動作中における画角の変化速度に応じた制御の安定性をより一層確実なものとすることができる。
【００４５】
また、以上説明した実施の形態とは別に、ズーム動作中における自動露出制御とオートホワイトバランス制御について、一方の制御に第１の実施の形態で説明した間引き制御を採用し、かつ他方の制御に第２の実施の形態で説明したダンピング制御を採用するようにしてもよい。その場合においても各制御の詳細についても前述したように適宜変更することができる。
【００４６】
また、ズームレンズ２の移動による画角調整が可能な光学ズームを備えたデジタルカメラについて説明したが、本発明は、ＣＣＤ４又はメモリ１０上で画素切り出しを行うことにより実現されるズーム機能、つまり所謂デジタル（電子）ズームを備えたデジタルカメラにも適用でき、その場合においても、ズーム動作中における自動露出制御やオートホワイトバランス制御に第１又は第２の実施の形態と同様の間引き制御やダンピング制御を採用することにより、前述した実施の形態と同様の効果を得ることができる。
【００４７】
また、撮像する画像に対するフィードバック制御の例として自動露出制御とオートホワイトバランス制御とを示したが、これ以外にも、撮像した画像に含まれる所定の画像成分に基づき、次に撮像する画像に対するフィードバック制御を行うものにおいて、ズーム動作中に、そのフィードバック制御の追従速度をズーム停止中よりも遅らせるようにしてもよい。その場合においても、ズーム動作中には制御動作の安定性が確保できるため、ズーム動作中おける、その制御内容に応じた画像の質を安定させることができる。
【００４８】
さらに、本発明はデジタルカメラに限らず、ズーム機能を有するものであれば、デジタルビデオカメラ等の他の撮像装置にも採用することができる。
【００４９】
【発明の効果】
以上説明したように請求項１、３、４、８の発明においては、ズーム動作中の画角の変化に伴い、撮像された画像において所定の画像成分が頻繁に変化したとしても、安定したフィードバック制御が行われるようにした。よって、ズーム動作中の撮像動作により取得される画像の質を安定させることができる。
【００５０】
また、請求項２の発明においては、ズーム動作中に画角の変化速度が変動する場合においても、その時々のフィードバック制御の遅延度合が適切なものとなるようにした。よって、ズーム動作中の撮像動作により取得される画像の質をより確実に安定させることができる。
【００５１】
また、請求項５の発明においては、撮像する画像に対するフィードバック制御の１回の制御量を低減させてズーム動作中におけるフィードバック制御の追従速度を遅らせるとき、ズーム動作中におけるその時々のフィードバック制御時における制御量がより適切なものとなるようにした。よって、ズーム動作中の撮像動作により取得される画像の質をより一層確実に安定させることができる。
【００５２】
また、請求項６の発明においては、ズーム動作中における画角の変化に伴い、撮像された画像において明るさの成分が頻繁に変化したとしても、安定した露出制御が行われるようにした。よって、ズーム動作中の撮像動作により取得される画像の明るさを安定して制御することができる。
【００５３】
また、請求項７の発明にあっては、ズーム動作中における画角の変化に伴い、撮像された画像において色の成分が頻繁に変化したとしても、安定したホワイトバランス制御が行われるようにした。よって、ズーム動作中の撮像動作により取得される画像の色合いを安定して制御することができる。
【図面の簡単な説明】
【図１】本発明の各実施の形態を示すデジタルカメラのブロック図である。
【図２】第１の実施の形態におけるＡＥ制御処理部及びＡＷＢ制御処理部に共通する回路構成を示すブロック図である。
【図３】第２の実施の形態におけるＡＥ制御処理部及びＡＷＢ制御処理部に共通する回路構成を示すブロック図である。
【符号の説明】
２    ズームレンズ
４    ＣＣＤ
１９    ＡＥ制御処理部
２２    ＡＷＢ制御処理部
２５    ズーム駆動部
３１    評価値抽出部
３２    目標値演算部
３３    ラッチレジスタ
３４    分周器
４１〜４３    第１〜第３のラッチレジスタ
４４〜４６    第１〜第３の低減器
４７    加算器
【図１】
2005012397.tif 000003
【図２】
2005012397.tif 000004
【図３】
2005012397.tif 000005